(57)【特許請求の範囲】
【請求項１】
液透過性のトップシートと液不透過性のバックシートとの間に吸収体を備える縦長の吸収性物品において、
前記トップシートと前記吸収体との間に配置され、一方の面が前記トップシートに当接し他方の面が前記吸収体に当接するセカンドシートを備え、
前記吸収体と前記セカンドシートとは、前記トップシートを伴わずに圧着されてなる圧着部を介して一体化されており、
前記圧着部は、使用時に使用者の膣口に対向する膣口対向部位を含み、且つ、前記吸収体の長手方向略中心線に沿った領域に、設けられ、
前記セカンドシートの幅方向における両端は、前記吸収性物品の幅方向における略中心において長手方向に延びる中心線に向かって折りたたまれていることを特徴とする吸収性物品。
【請求項２】
前記圧着部は、前記吸収体の長手方向両端から各々少なくとも１０ｍｍの範囲を除いて設けられている請求項１記載の吸収性物品。
【請求項３】
前記圧着部の総面積は、前記吸収体の上面面積に対して、５％以上３０％以下である請求項１又は２記載の吸収性物品。
【請求項４】
前記圧着部は、前記吸収体の長手方向に１０ｍｍ以下の間隔をもって、断続的に設けられており、
断続的に設けられている各圧着部の面積は、０．５ｍｍ２以上である請求項３記載の吸収性物品。
【請求項５】
前記圧着部は、前記膣口対向部位を通り、且つ、前記長手方向略中心線に沿う一直線上にのみ、設けられていることを特徴とする請求項１〜４のいずれかに記載の吸収性物品。
【請求項６】
前記セカンドシートの短手方向の端部は、前記吸収体の短手方向の端部よりも短手方向内側に配置されている請求項１〜５のいずれかに記載の吸収性物品。
【請求項７】
前記圧着部は、前記吸収体と前記セカンドシートとを着衣側からバックシートを伴わずに圧着して形成されている請求項１〜６のいずれかに記載の吸収性物品。
【発明の詳細な説明】
【技術分野】
【０００１】
本発明は、経血やおりもの等の体液を吸収するための生理用ナプキン、パンティライナー、失禁パッド等の吸収性物品に関する。
【背景技術】
【０００２】
従来から、液透過性トップシートと液不透過性バックシートとの間に吸収体を備える吸収性物品（例えば、経血やおりもの等を吸収するための生理用ナプキン、パンティライナー、失禁パッド）として、以下のような構成が知られている。
【０００３】
第１番目は、トップシートと吸収体とが、このトップシートの上面から圧着（例えば、熱エンボス）されてなる凹状溝のセンターエンボスを介して、一体化された吸収性物品である。そして、前記センターエンボスは、使用時に使用者の膣口に対向する膣口対向部位を含む範囲に亘り、且つ、前記トップシートの長手方向略中心線に沿って、設けられている（例えば、特許文献１参照）。
【０００４】
この吸収性物品によれば、吸収体を圧着してセンターエンボスを設けたので、吸収体には、センターエンボスから周縁部の方向に向けて密度勾配が形成される。また、膣口対向部位を含む範囲に亘ってセンターエンボスを設けたので、膣口対向部位に排出された体液（例えば、経血、おりもの）が、毛細管現象によって、高密度であるセンターエンボスに移行する。更に、トップシートの長手方向略中心線に沿ってセンターエンボスを設けたので、体液が吸収性物品の中心部に移行する。
従って、この吸収性物品によれば、吸収性物品の周縁部方向への体液の拡散を抑制できる。
【０００５】
第２番目は、トップシートと吸収体との間にセカンドシートを備えた吸収性物品である。そして、この吸収体は、前記セカンドシートの上面から前記トップシートは伴わずに圧着されてなる多数の点状圧着部を介して、前記セカンドシートと一体化されている。ここで、この点状圧着部は、所定の間隔をおいて、前記セカンドシートの全面にわたって設けられている（特許文献２参照）。
【０００６】
この吸収性物品によれば、トップシートと吸収体との間にセカンドシートを設けたので、吸収された体液が吸収体からトップシートへ逆戻ることを防止でき、このセカンドシートと吸収体とを部分的に一体化したので、使用者から排出された体液を迅速に吸収体に吸収させることができる。また、セカンドシートを圧着して点状圧着部を設けたので、トップシートの繊維間にわずかに残留する水分も、前述した毛細管現象によってセカンドシートに移行するため、トップシートのドライタッチ性を良化でき、使用者に与える不快感を軽減できる。更に、点状圧着部をセカンドシート全面に亘って設けたので、トップシートのドライタッチ性を広範囲において良化できるので、使用者に与える不快感をより軽減できる。
従って、この吸収性物品によれば、排出された体液を迅速に吸収でき、且つ、使用者に与える不快感をより軽減できる。
【特許文献１】特開２００３−２４３７６号公報
【特許文献２】特開平８−３２２８８１号公報
【発明の開示】
【発明が解決しようとする課題】
【０００７】
しかしながら、前述した特許文献１記載の吸収性物品によれば、トップシートの上面から凹状溝のセンターエンボスを設けたので、トップシートが膣口の陰唇に密着できず、トップシートと陰唇との間に隙間が生じる。このため、体液の漏れが起こりやすいという問題があった。
更に、センターエンボスを設けるために、トップシートに熱加工（例えば、熱エンボス）を施したので、トップシートが硬化する。このため、トップシートの膣口対向部位が膣口に当接した際に、使用者に強い不快感を与えるという問題があった。
【０００８】
また、前述した特許文献２記載の吸収性物品によれば、点状圧着部をセカンドシートの全面に亘って設けたので、以下のような問題があった。
第１番目は、全面に亘って吸収体が圧縮され、その柔軟性が低下することである。このため、使用中に起こる膣口等の形状変化に充分に追従できない（フィット性が悪い）から、体液の漏れが起こりやすい。
第２番目は、体液が各々の点状圧縮部に移行するため、体液の移行を吸収体の中心部に誘導できないことである。この結果、体液が吸収体の全体に拡散しているように見えるから、使用者に強い不安感を与える。
【０００９】
そこで、本発明は、吸収性物品の周縁部方向への体液の拡散、及び、体液の漏れを抑制でき、且つ、使用時において使用者に与える不快感を軽減できる吸収性物品を提供することを目的とする。
【課題を解決するための手段】
【００１０】
本発明は、具体的には、以下のようなものを提供する。
【００１１】
（１）  液透過性のトップシートと液不透過性のバックシートとの間に吸収体を備える吸収性物品において、前記トップシートと前記吸収体との間に、セカンドシートを備え、前記吸収体と前記セカンドシートとは、前記トップシートを伴わずに圧着されてなる圧着部を介して一体化されており、前記圧着部は、使用時に使用者の膣口に対向する膣口対向部位を含み、且つ、前記吸収体の長手方向略中心線に沿った領域に、設けられていることを特徴とする吸収性物品。
【００１２】
（１）の発明によれば、トップシートと吸収体との間にセカンドシートを設けたので、吸収された体液が吸収体からトップシートへ逆戻ることを防止でき、セカンドシートと吸収体とを部分的に一体化したので、使用者から排出された体液を素早く吸収体に吸収させることができる。
ここで、吸収体を圧着して圧着部を設けたので、吸収体には、圧着部から周縁部の方向に向けて密度勾配が形成される。また、膣口対向部位を含む範囲に亘って圧着部を設けたので、膣口対向部位に排出された体液（例えば、経血、おりもの）が、毛細管現象によって、高密度である圧着部に移行する。更に、吸収体の長手方向略中心線に沿った領域に圧着部を設けたので、体液が吸収性物品の中心部に移行するから、吸収性物品の周縁部方向への体液の拡散を抑制できる。
【００１３】
また、トップシートを伴わずに圧着部を形成したので、トップシートの自由度が失われない。このため、トップシートが使用者の膣口等の形状変化に充分に追従できる（フィット性が良い）から、体液の漏れを抑制できる。また、トップシートを伴わずに圧着部を形成したので、トップシートが硬化されないから、使用時において使用者に与える不快感を軽減できる。
【００１４】
（２）  前記圧着部は、前記吸収体の長手方向両端から各々少なくとも１０ｍｍの範囲を除いて設けられている（１）記載の吸収性物品。
【００１５】
圧着部が吸収体の長手方向両端近傍に設けられていると、この圧着部に移行した体液が吸収体両端部から漏れるおそれがある。
ここで、（２）の発明によれば、吸収体の長手方向両端から各々少なくとも１０ｍｍの範囲を除いて圧着部を設けたので、吸収性物品の長手方向の周縁部方向への体液の拡散、及び、吸収体の長手方向両端からの体液の漏れを抑制できる。
【００１６】
（３）  前記圧着部の総面積は、前記吸収体の上面面積に対して、５％以上３０％以下である（１）又は（２）記載の吸収性物品。
【００１７】
圧着部の総面積が小さすぎると、セカンドシートから吸収体へ体液が移行しにくくなるため、体液の吸収が遅くなる。一方で、圧着部の総面積が大きすぎると、吸収体の嵩が減るためにフィット性が悪化し、体液の漏れが起こりやすくなるとともに、吸収体の剛性が高くなるため使用時において使用者に強い違和感を与える。
ここで、（３）の発明によれば、圧着部の総面積を５％以上３０％以下としたので、セカンドシートから吸収体へ体液が移行しやすくなるから、体液を迅速に吸収でき、且つ、吸収体の嵩の減少及び剛性の増加が抑えられるから、体液の漏れをより抑制できるとともに、使用時において使用者に与える違和感をより軽減できる。
【００１８】
（４）  前記圧着部は、前記吸収体の長手方向に１０ｍｍ以下の間隔をもって、断続的に設けられており、断続的に設けられている各圧着部の面積は、０．５ｍｍ２以上である（３）記載の吸収性物品。
【００１９】
（４）の発明によれば、まず、圧着部を断続的に設けた。
ここで、圧着部の各々の間隔が大きすぎると、吸収体の密度勾配が充分には形成されないため、この各々の間に排出された体液は、圧着部への移行の誘導を受けにくい。これにより、体液が吸収体の側縁部方向に拡散し、体液の漏れが生じるおそれがある。
（４）の発明によれば、圧着部の各々を、長手方向に１０ｍｍ以下の間隔をもって配置したので、吸収体の密度勾配が充分に形成される。このため、圧着部の各々の間に排出された体液の圧着部への移行を誘導できるから、体液の漏れを抑制できる。
【００２０】
また、各圧着部の面積が小さすぎると、セカンドシートの溶融が困難になるために、セカンドシートと吸収体との一体化が困難になる。ここで、（４）の発明によれば、各圧着部の面積を０．５ｍｍ２以上としたので、セカンドシートの溶融が容易だから、容易にセカンドシートと吸収体とを一体化できる。
【発明の効果】
【００２１】
本発明によれば、膣口対向部位を含む範囲に亘って圧着部を設けたので、膣口対向部位に排出された体液が圧着部に移行する。更に、セカンドシートの長手方向略中心線に沿った領域に圧着部を設けたので、体液が吸収性物品の中心部に移行するから、吸収性物品の周縁部方向への体液の拡散を抑制できる。
ここで、トップシートを伴わずに圧着部を形成したので、トップシートの自由度が失われない。このため、トップシートは使用者の膣口等の形状変化に充分に追従できる（フィット性が良い）から、体液の漏れを抑制できる。また、トップシートを伴わずに圧着部を形成したので、トップシートが硬化されないから、使用時において使用者に与える不快感を軽減できる。
【発明を実施するための最良の形態】
【００２２】
以下、本発明の実施形態について、図面を参照しながら説明する。なお、第１実施形態以外の各実施形態の説明において、第１実施形態と共通するものについては同一符号を付し、その説明を省略若しくは簡略化する。
【００２３】
＜第１実施形態＞
［吸収性物品の全体構成］
図１は、本発明の第１実施形態の生理用ナプキン１を示すものであり、外力が作用していない自由状態を示す斜視図である。図２は、この生理用ナプキン１を平坦な状態に展開した状態を肌側表面から見た平面図である。図３は、図１のＩＩＩ−ＩＩＩ線の矢視断面図である。
【００２４】
以下においては、生理用ナプキン１を構成する各要素の２つの表面のうち、身体に向く表面を「肌側表面」と呼び、反対側の表面を「着衣側表面」と呼ぶ。また、生理用ナプキンの長手方向を「縦方向」と呼び、前記縦方向と直交する方向を「横方向」と呼ぶ。各要素の寸法は、特に明記しない限り、縦方向に測定した寸法を「長さ寸法」とし、前記横方向に測定した寸法を「幅寸法」と呼ぶ。
【００２５】
生理用ナプキン１（吸収性物品の一例）は、液透過性のトップシート１０と液不透過性のバックシート２０との間に吸収体３０を備えている。また、生理用ナプキン１は、トップシート１０と吸収体３０との間に、セカンドシート４０を備えている。これら各部材は、ゴム系ホットメルト型接着剤及びヒートシールにより、互いに接着されている。
【００２６】
そして、吸収体３０とセカンドシート４０とは、トップシート１０を伴わずに圧着されてなる圧着部５０を介して一体化されている。圧着部５０は、使用時に使用者の膣口に対向する膣口対向部位（後述する）を含み、且つ、吸収体３０の長手方向略中心線Ｏｙに沿った領域に、設けられている。圧着は、圧着部の周辺部位に高密度領域を形成できる限りにおいて特に限定されないが、例えば、熱エンボス、超音波溶着により行うことができる。
【００２７】
生理用ナプキン１の両側部には、前方において、吸収体３０の両側端部３０ｃよりも左右両側に突出した前方フラップ部４と、前方フラップ部４よりも後方において左右両側に突出した折り返しフラップ部５と、折り返しフラップ部５よりもさらに後方において、左右両側に突出した後方フラップ部６と、が設けられている。バックシート２０及びサイドシート６０は、前方フラップ部４、折り返しフラップ部５、後方フラップ部６において重ねられ、ゴム系ホットメルト型接着剤及びヒートシールにより、互いに接着されている。
【００２８】
生理用ナプキン１は、曲線形状の前縁部２と、同様に曲線形状の後縁部３と、を有する縦長形状である。例えば、長手方向略中心線Ｏｙでの長さ寸法は２１０ｍｍ以上４２０ｍｍ以下（例えば、３５０ｍｍ）であり、幅方向の寸法は折り返しフラップ部５が設けられている領域において１５０ｍｍ以上２００ｍｍ以下（例えば、１７０ｍｍ）、その他の領域において６０ｍｍ以上１２０ｍｍ以下（例えば、１００ｍｍ）である。
【００２９】
吸収体３０も縦長形状であり、前縁部２よりもやや後方に位置する曲線形状の前端部３０ａ及び、後縁部３よりもやや前方に位置する曲線形状の後端部３０ｂを有している。吸収体３０の左右両側端部３０ｃは、長手方向略中心線Ｏｙと平行な略直線形状である。
吸収体３０は、例えば、長さ方向の寸法が１９０ｍｍ以上４００ｍｍ以下（例えば、３１５ｍｍ）で、幅方向の寸法が６０ｍｍ以上８５ｍｍ以下（例えば、７５ｍｍ）であり、生理用ナプキン１の略中央部に設けられている。
【００３０】
生理用ナプキン１の横方向の両側部に位置するサイドシート６０の対向縁部６０ａは、吸収体３０の両側端部３０ｃよりも内側（長手方向略中心線Ｏｙ側）に位置している。吸収体３０の両側部分は、その肌側表面がトップシート１０で覆われ、このトップシート１０の表面が更にサイドシート６０で覆われている。サイドシート６０の対向縁部６０ａ同士で挟まれた領域には、液透過性のトップシート１０が現れており、この領域で且つ吸収体３０が設けられている部分が主な体液吸収領域となっている。
【００３１】
膣対向基準線Ｘ１は、生理用ナプキン１の前縁部２から後方へ１００ｍｍ以上２００ｍｍ以下の範囲で、好ましくは前縁部２から後方へ１００ｍｍ以上１４０ｍｍ以下の範囲に位置しており、例えば前縁部２から後方へ約１２０ｍｍ離れて位置している。
【００３２】
膣口対向部位とは、膣対向基準線Ｘ１と長手方向略中心線Ｏｙとの交点を略中心として、その近傍であって、使用者の膣口に当接する部位を意味する。ここで、膣口対向部位は、この生理用ナプキン１を下着に固着させて、使用者の股間部に装着するときに、ほぼ膣口の中心に一致させる目安にもなる。
【００３３】
この目安は、生理用ナプキンを肌側表面から見たときの全体形状や、肌側表面に形成されている圧縮線７０の形状等の全体デザインによって、適宜決定できる。左右両側に突出する折り返しフラップ部５の縦方向寸法の中心を通る膣対向基準線Ｘ１は、膣口の中心部に対向させる目安とすることができる。また、圧縮線７０の横方向での間隔が膣対向基準線Ｘ１の位置で狭められているので、この圧縮線７０の形状も目安とすることができる。
【００３４】
生理用ナプキン１は、バックシート２０の着衣側表面に、生理用ナプキン１を下着に固着させるためのセンター感圧接着剤層８０が設けられている（塗布量は、例えば５０ｇ／ｍ２）。そして、このセンター感圧接着剤層８０は、縦方向中心線Ｏｙの左右両側において長手方向略中心線Ｏｙと略平行に形成されている。例えば、長さ方向の寸法が２９０ｍｍ、幅方向の寸法が１５ｍｍのセンター感圧接着剤層の２本が、生理用ナプキン１の略中央部において、長手方向略中心線Ｏｙを対称軸として、幅方向に１５ｍｍの間隔をもって設けられている。
【００３５】
また、図示はしないが、折り返しフラップ部５が形成されている領域には、バックシート２０の着衣側表面にフラップ用感圧接着剤層が設けられている。例えば、長さ方向の寸法が３０ｍｍ、幅方向の寸法が１５ｍｍのフラップ用感圧接着剤層が、各々のフラップの略中央部に設けられている。
【００３６】
更に、図示はしないが、後方の領域には、バックシート２０の着衣側表面に後方領域用感圧接着剤層が設けられている。例えば、長さ方向の寸法が１５ｍｍ以上２０ｍｍ以下、幅方向の寸法が１０ｍｍの後方領域用感圧接着剤層が、生理用ナプキン１の前縁部２から後方へ約２３０ｍｍ以上３００ｍｍ以下離れた位置に、長手方向略中心線Ｏｙに沿って設けられている。
【００３７】
［トップシート］
トップシート１０は、液透過性であり、一般的に液親水性である。また、使用者の肌に当接するので、柔軟性に富み、風合いのよい素材が好ましく用いられる。具体的には、ポリプロピレン及びポリエチレンからなる液透過性の不織布、フィルム、多孔性プラスティックフィルム、多孔性フォーム等の化学繊維、綿等の天然繊維を挙げることができ、これらは単独で若しくは複合して用いることができる。
【００３８】
例えば、芯部がポリプロピレン（ＰＰ）樹脂で鞘部がポリエチレン（ＰＥ）樹脂の芯鞘型複合合成繊維（繊維径２．２ｄｔｅｘ）と、芯部がポリエチレンテレフタレート（ＰＥＴ）樹脂で鞘部がポリエチレン（ＰＥ）樹脂の芯鞘型複合合成繊維（繊維径２．６ｄｔｅｘ）と、が混合されて形成されたスルーエア不織布であり、その目付けは３５ｇ／ｍ２である。
【００３９】
［バックシート］
バックシート２０は、一般的に、ポリプロピレン、ポリエチレン、ポリエチレンテレフタレート、エチレンビニルアセテート等を単独で若しくは複合して得られる液不透過性の樹脂フィルム、防漏性の不織布、樹脂フィルムが貼り合わされた不織布、樹脂と紙とのラミネート材、樹脂フィルムにフィラー等を添加して延伸することで透湿性をもたせたもの、等の素材が好ましく用いられる。例えば、目付けが２３．５ｇ／ｍ２であるポリエチレンフィルムを挙げることができる。
【００４０】
［吸収体］
吸収体３０は、一般的に、粉砕パルプを液透過性の紙やセルロースシートで包んだもの、高吸収性ポリマーを混合したもの等を用いることができ、例えば、エアレイドパルプ、親水性繊維を使用したスパンレース不織布やメルトブロン不織布、吸水紙、又はこれらが組み合わされたものを挙げることができる。また、高吸水性ポリマーとしては、デンプン重合体、アクリル酸系重合体、セルロース系等を挙げることができる。
【００４１】
吸収体３０は、例えば、高吸収性高分子（アクリル酸重合体部分ナトリウム塩架橋物）を３重量％含む針葉樹クラフトパルプであり、その目付けは３００ｇ／ｍ２である。
【００４２】
また、吸収体３０の形状としては、特に限定されず、粒状、シート状、繊維状等を挙げることができる。
【００４３】
［セカンドシート］
セカンドシート４０は、液透過性があり、フィット性向上の点からクッション性及び嵩維持性に優れ、且つ、熱融着成分を含んでいることが好ましい。具体的には、ポリプロピレン、ポリエチレン又はこれらの複合繊維からなる不織布（例えば、スルーエア不織布）、フィルム、多孔性プラスティックフィルム、多孔性フォーム等の化学繊維等を挙げることができる。嵩高性及び柔軟性の点からは、高デニールの中空繊維等が好ましい。また、熱融着成分としては、ポリプロピレン、ポリエチレン、ポリエステル、ポリビニリデン、アクリル樹脂、ナイロン樹脂等が挙げられる。
【００４４】
セカンドシート４０は、例えば、芯部がポリプロピレン（ＰＰ）樹脂で、鞘部がポリエチレン（ＰＥ）樹脂の芯鞘型の複合合成繊維（繊維径２．２ｄｔｅｘ）で形成されたスルーエア不織布とし、その目付けを２０ｇ／ｍ２とすることができる。
【００４５】
また、セカンドシート４０は、体液のトップシート１０からの移行の誘導性を向上させるために、親水性の高い素材で構成することが好ましく、例えば、スパンレース又はパルプ混スパンレース等を用いたり、油剤等で親水処理したりすればよい。
【００４６】
セカンドシート４０の厚みは、小さすぎるとフィット性が悪化する一方、大きすぎるとセカンドシート４０内での体液の移行速度が低下する結果、吸収速度が低下する。そこで、セカンドシート４０の厚みは、３ｇ／ｃｍ２荷重下において０．１ｍｍ以上３ｍｍ以下であることが好ましい。より好ましくは、０．５ｍｍ以上２ｍｍ以下である。
また、セカンドシート４０の厚みは、セカンドシート４０を重ねる、折り返す、エンボスによる賦形を行う、折り返したセカンドシート４０の間に伸縮材を貼り付けてセカンドシート４０の上層を持ち上げる等の手法で、増加させてもよい。
【００４７】
セカンドシート４０の密度は、小さすぎると表面材からの経血の移行性が低下する一方、大きすぎるとセカンドシート４０内での体液の移行速度が低下する結果、吸収速度が低下する。そこで、セカンドシート４０の密度は、０．０３０ｇ／ｃｍ３以上０．２４ｇ／ｃｍ３以下であることが好ましい。より好ましくは、０．１０ｇ／ｃｍ３以上０．１５ｇ／ｃｍ３以下である。
ただし、トップシート１０の密度が０．２４ｇ／ｃｍ３を超える場合には、充分な密度勾配を形成する点から、セカンドシート４０の密度をトップシート１０の密度以上とすることが好ましい。
【００４８】
セカンドシート４０は、圧着部５０の近傍を除いて、トップシート１０と固定されている。圧着部５０の近傍をトップシート１０と固定すると、セカンドシート４０に伴ってトップシート１０が凹形状に変形される結果、フィット性が低下するので好ましくない。この固定は、特に限定されないが、例えばホットメルト型接着剤を用いて行うことができる。
【００４９】
［圧着部］
圧着部５０は、膣口対向部位を含み且つ吸収体３０の長手方向略中心線Ｏｙに沿った領域に、連続して圧着されている。そして、吸収体３０の長手方向両端３０ａ、３０ｂから各々少なくとも１０ｍｍ（各々、Ｌａ、Ｌｂ）の範囲を除いて設けられている。
なお、圧着部５０は、セカンドシート４０及び吸収体３０を、肌側表面の側から圧着して形成している。
また、圧着部５０を設け圧着部５０の総面積は、吸収体３０の上面面積に対して５％以上３０％以下である。
【００５０】
圧着部５０の深さが小さすぎると、圧縮される吸収体３０の厚み減少率が小さくなり、圧着部５０周辺の圧縮度が低くなるので、密度勾配が充分に形成されにくい。一方、圧着部５０の深さが大きすぎると、セカンドシート４０が過度に引き伸ばされて圧着部５０の周辺で破断するおそれがあり、破断すると体液の連通性が損なわれるため、体液の吸収速度が遅くなる。そこで、圧着部５０の深さは、１．０ｍｍ以上１３ｍｍ以下であることが好ましい。より好ましくは、３．０ｍｍ以上１０ｍｍ以下である。
【００５１】
圧着部５０における密度が小さすぎると、非圧着部との密度勾配が小さくなるので、体液の移行が遅くなる。そこで、圧着部５０における密度は、０．２５ｇ／ｃｍ３以上、又は、非圧着部におけるセカンドシート４０の密度に対して２倍以上であることが好ましい。より好ましくは、０．５０ｇ／ｃｍ３以上である。ここで、非圧着部とは圧着が行われていない部位を意味する。
【００５２】
また、吸収体３０とともに圧着部５０側に巻き込まれる部分におけるセカンドシート４０のティッシュやパルプの破断を防止するため、圧着部５０は垂直方向に角度をつけた斜め方向に形成してもよい。
【００５３】
［サイドシート］
サイドシート６０は、芯部がポリエチレン樹脂で鞘部がポリプロピレン樹脂の芯鞘型の複合合成繊維で形成された（混合率１：１）スパンボンド不織布であり、例えば目付けが２２ｇ／ｍ2である。
【００５４】
［感圧接着剤層］
センター感圧接着剤層８０、フラップ用感圧接着剤層、後方領域感圧接着剤層は、いずれも、例えば、ゴム系ホットメルト型接着剤、オレフィン系ホットメルト型接着剤、メカニカルファスナー、スチレンゴム系の滑り止め材で、構成できる。
【００５５】
本実施形態によれば、以下のような作用効果が得られる。
（Ａ）トップシート１０と吸収体３０との間にセカンドシート４０を設けたので、吸収された体液が吸収体３０からトップシート１０へ逆戻ることを防止でき、セカンドシート４０と吸収体３０とを部分的に一体化したので、使用者から排出された体液を素早く吸収体３０に吸収させることができる。
ここで、膣口対向部位を含む範囲に亘って圧着部５０を設けたので、膣口対向部位に排出された体液が圧着部５０に移行する。更に、吸収体３０の長手方向略中心線Ｏｙに沿った領域に圧着部５０を設けたので、体液が生理用ナプキン１の中心部に移行するから、生理用ナプキン１の周縁部方向への体液の拡散を抑制できる。
【００５６】
（Ｂ）トップシート１０を伴わずに圧着部５０を形成したので、トップシート１０の自由度が失われない。このため、トップシート１０は使用者の膣口等の形状変化に充分に追従できる（フィット性が良い）から、体液の漏れを抑制できる。また、トップシート１０を伴わずに圧着部５０を形成したので、トップシート１０が硬化されないから、使用時において使用者に与える不快感を軽減できる。
【００５７】
（Ｃ）吸収体３０の長手方向両端３０ａ、３０ｂから各々少なくとも１０ｍｍ（各々、Ｌａ、Ｌｂ）の範囲を除いて圧着部５０を設けたので、吸収性物品１の長手方向の周縁部方向への体液の拡散を抑制でき、且つ、吸収体３０の長手方向両端３０ａ、３０ｂからの体液の漏れを抑制できる。
【００５８】
（Ｄ）圧着部５０の総面積を５％以上３０％以下としたので、吸収体３０の柔軟性を損なうことなく、セカンドシート４０から吸収体３０へ体液が移行しやすくなるから、体液を迅速に吸収でき、且つ、吸収体３０の嵩の減少及び剛性の増加が抑えられるから、体液の漏れをより抑制できるとともに、使用時において使用者に与える違和感を軽減できる。
【００５９】
＜第２実施形態＞
図４は、本発明の第２実施形態の生理用ナプキンの吸収体３０Ａを平坦な状態に展開した状態を肌側表面から見た平面図である。
【００６０】
本実施形態では、圧着部５０Ａの構造が第１実施形態と異なる。
即ち、圧着部５０Ａは、膣口対向部位を含み且つ吸収体３０Ａの長手方向略中心線Ｏｙに沿った領域に、断続的に形成されている。そして、圧着部５０Ａの各々は、長手方向に１０ｍｍ以下の間隔（図中Ｌｃ）をもって形成されている。また、圧着部５０Ａの各々の面積は、０．５ｍｍ２以上である。
【００６１】
なお、圧着部５０Ａの各々の長手方向の寸法（図中Ｌｄ）は、体液の移行の誘導性を向上させる点で、３０ｍｍ以上であることが好ましい。
【００６２】
本実施形態によれば、前述した（Ａ）〜（Ｄ）に加えて、以下のような作用効果が得られる。
（Ｅ）圧着部５０Ａの各々を、長手方向に１０ｍｍ以下の間隔（Ｌｃ）をもって配置したので、吸収体３０Ａの密度勾配が充分に形成される。このため、圧着部５０Ａの各々の間に排出された体液の圧着部５０Ａへの移行を誘導できるから、体液の漏れを抑制できる。
【００６３】
（Ｆ）圧着部５０Ａの各々の面積を０．５ｍｍ２以上としたので、セカンドシートの溶融が容易だから、容易にセカンドシートと吸収体３０Ａとを一体化できる。
【００６４】
＜第３実施形態＞
図５は、本発明の第３実施形態の生理用ナプキン１Ｂの膣口対向部位における横断面図である。
【００６５】
本実施形態では、セカンドシート４０Ｂの構造が第１〜第２実施形態と異なる。
生理用ナプキン１Ｂのセカンドシート４０Ｂは、この両端が長手方向略中心線に向かって折りたたまれている。そして、この折りたたまれたセカンドシート４０Ｂには、この折りたたみ線より両端側において、膣口対向部位を含む領域に亘り、縦方向（生理用ナプキン１Ｂの長手方向）に弾性伸縮部材４１が設けられている。
【００６６】
弾性伸縮部材４１は、特に限定されないが、長手方向略中心線Ｏｙと膣対向基準線Ｘ１との交点を中心として、前方０ｍｍ以上８０ｍｍ以下（例えば、４０ｍｍ）の地点から、後方側に５０ｍｍ以上２２０ｍｍ以下（例えば、１８０ｍｍ）の長さに亘って、伸縮倍率１．３倍以上２．２倍以下で設けることができる。また、弾性伸縮部材４１は、例えば、ホットメルト型接着剤により固定できる。
【００６７】
本実施形態によれば、前述した（Ａ）〜（Ｆ）に加えて、次のような作用効果が得られる。
（Ｇ）折りたたまれたセカンドシート４０Ｂに、この折りたたみ線より両端側において、膣口対向部位を含む領域に亘り、縦方向（生理用ナプキン１Ｂの長手方向）に弾性伸縮部材４１を設けたので、弾性伸縮部材４１の収縮に伴って、膣口対向部位を含む領域のトップシート１０Ｂが使用者の肌側に隆起する。ここで、セカンドシート４０Ｂをこの両端が長手方向略中心線側に向かうように折りたたんだので、膣口対向部位の近傍のトップシート１０Ｂが隆起する。弾性伸縮部材４１が伸縮することで、この隆起が膣口の形状変化に応じて調節されるので、生理用ナプキン１Ｂはフィット性に優れ、体液の漏れをより抑制できる。
【００６８】
＜第４実施形態＞
図６は、本発明の第４実施形態の生理用ナプキン１Ｃの膣口対向部位における横断面図である。
【００６９】
本実施形態では、セカンドシート４０Ｃの構造が第１〜第３実施形態と異なる。
即ち、生理用ナプキン１Ｃのセカンドシート４０Ｃは、長手方向略中心線に沿ってバックシート側に屈曲された第１セカンドシート４０１と、この第１セカンドシート４０１に対向する第２セカンドシート４０２と、からなる。第１セカンドシート４０１及び第２セカンドシート４０２は、これらの両端部において互いに固定されている。
そして、吸収体３０と第２セカンドシート４０２とは、トップシート１０Ｃを伴わずに圧着されてなる圧着部５０を介して一体化されている。
また、第１セカンドシート４０１には、膣口対向部位を含む領域に亘り、縦方向（生理用ナプキン１Ｃの長手方向）に弾性伸縮部材４１Ｃが設けられている。
【００７０】
体液の移行の誘導性及び吸収速度を向上させる点から、第１セカンドシート４０１は液透過性が相対的に高く、第２セカンドシート４０２は密度が相対的に大きいことが好ましい。例えば、第１セカンドシート４０１は液透過性に優れるスルーエア不織布で、第２セカンドシート４０２は液親水性に優れるスパンレースで形成できる。
【００７１】
本実施形態によれば、前述した（Ａ）〜（Ｆ）に加えて、次のような作用効果が得られる。
（Ｇ’）第１セカンドシート４０１に、膣口対向部位を含む領域に亘り、縦方向（生理用ナプキン１Ｃの長手方向）に弾性伸縮部材４１Ｃを設けたので、弾性伸縮部材４１Ｃの収縮に伴って、膣口対向部位を含む領域のトップシート１０Ｃが使用者の肌側に隆起する。ここで、第１セカンドシート４０１を長手方向略中心線に沿って屈曲したので、膣口対向部位の近傍のトップシート１０Ｃが隆起する。弾性伸縮部材４１Ｃが伸縮することで、この隆起が膣口の形状変化に応じて調節されるので、生理用ナプキン１Ｃはフィット性により優れ、体液の漏れをより抑制できる。
【００７２】
＜第５実施形態＞
図７は、本発明の第５実施形態の生理用ナプキン１Ｄの膣口対向部位における横断面図である。
【００７３】
本実施形態は、吸収体３０Ｄ及びセカンドシート４０Ｄの構造が、第１〜第４実施形態と異なる。
即ち、吸収体３０Ｄとセカンドシート４０Ｄとは、着衣側からバックシート２０を伴わずに圧着されてなる圧着部５０Ｄを介して一体化されている。
【００７４】
本実施形態によれば、前述した（Ａ）〜（Ｇ）又は（Ｇ’）に加えて、次のような作用効果が得られる。
（Ｈ）着衣側から吸収体３０Ｄを圧着して圧着部５０Ｄを形成したので、使用者から生理用ナプキン１Ｄの幅方向中心側（長手方向略中心線側）に力が付加された場合、吸収体３０Ｄが圧着部５０Ｄにおいて屈曲する。この屈曲に伴って、セカンドシート４０Ｄ、トップシート１０Ｄが使用者肌側に隆起され、この隆起したトップシート１０Ｄが使用者の膣口により密着するので、体液の漏れを抑制できる。
【００７５】
なお、本発明は前記実施形態に限定されるものではなく、本発明の目的を達成できる範囲での変形、改良等は本発明に含まれるものである。例えば、以下の変形例を挙げることができる。
【００７６】
［変形例１］
図８は、本発明の変形例１に係る生理用ナプキンの吸収体３０Ｅを平坦な状態に展開した状態を肌側表面から見た平面図である。
【００７７】
本変形例は、圧着部５０Ｅの構造が、前記実施形態と異なる。
即ち、吸収体３０Ｅの圧着部５０Ｅは、膣口対向部位を含み且つ吸収体３０Ｅの長手方向略中心線Ｏｙに沿った領域に、断続的に形成されている。そして、圧着部５０Ｅの各々の形状は、幅方向に長辺を有する長方形で構成されている。
【００７８】
［変形例２］
図９は、本発明の変形例２に係る生理用ナプキンの吸収体３０Ｆを平坦な状態に展開した状態を肌側表面から見た平面図である。
【００７９】
本変形例は、圧着部５０Ｆの構造が、前記実施形態と異なる。
即ち、吸収体３０Ｆの圧着部５０Ｆは、膣口対向部位を含み且つ吸収体３０Ｆの長手方向略中心線Ｏｙに沿った領域に、断続的に形成されている。そして、圧着部５０Ｆの各々の形状は、幅方向に長辺を有する長方形で構成され、膣口対向部位の近傍における長方形の長辺は、他の部位における長方形の長辺よりも長く構成されている。
【００８０】
［変形例３］
図１０は、本発明の変形例３に係る生理用ナプキンの吸収体３０Ｇを平坦な状態に展開した状態を肌側表面から見た平面図である。
【００８１】
本変形例は、圧着部５０Ｇの構造が、前記実施形態と異なる。
即ち、吸収体３０Ｇの圧着部５０Ｇは、膣口対向部位を含み且つ吸収体３０Ｇの長手方向略中心線Ｏｙに沿った領域に連続して形成された複数本の圧着部ラインが、吸収体３０Ｇの縦方向に、所定の間隔をもって略平行に配置されている。
【００８２】
ここで、所定の間隔（図中、Ｌｅ）は、通常、２０ｍｍ以下（例えば、５ｍｍ）である。
【００８３】
［変形例４］
図１１は、本発明の変形例４に係る生理用ナプキンの吸収体３０Ｈを平坦な状態に展開した状態を肌側表面から見た平面図である。
【００８４】
本変形例は、圧着部５０Ｈの構造が、変形例３と異なる。
即ち、吸収体３０Ｈの圧着部５０Ｈは、膣口対向部位を含み且つ吸収体３０Ｈの長手方向略中心線Ｏｙに沿った領域に断続的に形成された複数本の圧着部ラインが、吸収体３０Ｈの縦方向に、所定の間隔をもって略平行に配置されている。この圧着ラインの各々は、三角形状の複数の圧着部で構成されている。
【００８５】
ここで、所定の間隔は、通常、２０ｍｍ以下（例えば、５ｍｍ）である。
【００８６】
なお、圧着部の各々の形状は、三角形や長方形に限定されず、円形等であってもよい。
【図面の簡単な説明】
【００８７】
【図１】本発明の第１実施形態に係る吸収性物品の自由状態を示す斜視図である。
【図２】本発明の第１実施形態に係る吸収性物品を平面状に展開した状態を肌側表面から示す平面図である。
【図３】図１のＩＩＩ−ＩＩＩ線の矢視断面図である。
【図４】本発明の第２実施形態に係る吸収性物品の吸収体を平面状に展開した状態を肌側表面から示す平面図である。
【図５】本発明の第３実施形態に係る吸収性物品の膣口対向部位における横断面図である。
【図６】本発明の第４実施形態に係る吸収性物品の膣口対向部位における横断面図である。
【図７】本発明の第５実施形態に係る吸収性物品の膣口対向部位における横断面図である。
【図８】本発明の変形例１に係る吸収性物品の吸収体を平面状に展開した状態を肌側表面から示す平面図である。
【図９】本発明の変形例２に係る吸収性物品の吸収体を平面状に展開した状態を肌側表面から示す平面図である。
【図１０】本発明の変形例３に係る吸収性物品の吸収体を平面状に展開した状態を肌側表面から示す平面図である。
【図１１】本発明の変形例４に係る吸収性物品の吸収体を平面状に展開した状態を肌側表面から示す平面図である。
【符号の説明】
【００８８】
１  生理用ナプキン（吸収性物品）
１０  トップシート
２０  バックシート
３０  吸収体
３０ａ、３０ｂ  吸収体の長手方向両端
４０  セカンドシート
５０  圧着部
５０１  各圧着部
Ｏｙ  長手方向中心線
Ｘ１  膣対向基準線
【図１】
0005129447.tif 000002
【図２】
0005129447.tif 000003
【図３】
0005129447.tif 000004
【図４】
0005129447.tif 000005
【図５】
0005129447.tif 000006
【図６】
0005129447.tif 000007
【図７】
0005129447.tif 000008
【図８】
0005129447.tif 000009
【図９】
0005129447.tif 000010
【図１０】
0005129447.tif 000011
【図１１】
0005129447.tif 000012